(57)【要約】【課題】簡単な構成により歪補償性能を向上させること。【解決手段】送信信号に対し歪補償係数を用いて歪補償処理を行ったプリディストーション信号を電力増幅器１０５に出力する歪補償部１０１を有する。歪補償部１０１は、歪補償処理を行った信号をレファレンス信号ＲＳとし、このレファレンス信号ＲＳと、電力増幅器１０５の出力帰還のフィードバック信号ＦＳとの誤差に基づき、歪補償係数を更新する。第１のフィルタ１１４と、第２のフィルタ１０３ａは、レファレンス信号ＲＳおよびフィードバック信号ＦＳをそれぞれ帯域制限して通過帯域を合わせる。【選択図】図１
2014121080.tif 000002
【特許請求の範囲】
【請求項１】
送信信号に対し歪補償係数を用いて歪補償処理を行ったプリディストーション信号を電力増幅器に出力する歪補償部を有し、
前記歪補償部は、前記歪補償処理を行った信号をレファレンス信号とし、当該レファレンス信号と、前記電力増幅器の出力帰還のフィードバック信号との誤差に基づき、前記歪補償係数を更新し、前記レファレンス信号および前記フィードバック信号をいずれも帯域制限して通過帯域を合わせたことを特徴とする歪補償装置。
【請求項２】
前記歪補償部は、前記レファレンス信号および前記フィードバック信号の信号経路上に設けられ、帯域制限して互いの通過帯域を合わせた第１のフィルタと、第２のフィルタとを含むことを特徴とする請求項１に記載の歪補償装置。
【請求項３】
前記歪補償部と、前記電力増幅器との間に設けられ、ＤＡ変換するＤＡ変換器と、
前記電力増幅器の前記フィードバック信号をＡＤ変換するＡＤ変換器とを有し、
前記歪補償部は、デジタル信号処理を行い、
送信信号に対し歪補償係数を用いて歪補償処理を行い、前記プリディストーション信号を出力するプリディストーション信号生成部と、
前記プリディストーション信号生成部が出力する前記プリディストーション信号を前記レファレンス信号とし、当該レファレンス信号と、前記フィードバック信号との誤差を算出する誤差演算部と、
前記誤差演算部により算出された誤差に基づき、前記プリディストーション信号生成部の歪補償係数を更新する係数更新部と、
前記レファレンス信号を帯域制限する第１のフィルタとを有し、
前記第１のフィルタの通過帯域を、前記ＤＡ変換器内部の第２のフィルタの通過帯域に合わせて設定したことを特徴とする請求項１に記載の歪補償装置。
【請求項４】
前記第１のフィルタは、前記レファレンス信号が入力される前記誤差演算部の前段に設けられたことを特徴とする請求項３に記載の歪補償装置。
【請求項５】
前記第１のフィルタは、前記誤差演算部の出力と前記係数更新部との間に設けられたことを特徴とする請求項３に記載の歪補償装置。
【請求項６】
前記第１のフィルタは、前記プリディストーション信号生成部の後段に設けられたことを特徴とする請求項３に記載の歪補償装置。
【請求項７】
前記第１のフィルタのフィルタ特性を、前記第２のフィルタのフィルタ特性と同一の通過帯域としたことを特徴とする請求項４〜６のいずれか一つに記載の歪補償装置。
【請求項８】
前記第１フィルタのフィルタ特性を、前記第２のフィルタのフィルタ特性より狭い通過帯域としたことを特徴とする請求項４〜６のいずれか一つに記載の歪補償装置。
【請求項９】
送信信号に対し歪補償係数を用いて歪補償処理を行ったプリディストーション信号を電力増幅器に出力する歪補償部と、
前記歪補償部と、前記電力増幅器との間に設けられ、所定の通過帯域を有するフィルタを備え、ＤＡ変換するＤＡ変換器と、
前記電力増幅器のフィードバック信号をＡＤ変換する第１のＡＤ変換器と、
前記ＤＡ変換器の出力をＡＤ変換する第２のＡＤ変換器とを有し、
前記歪補償部は、デジタル信号処理を行い、
送信信号に対し歪補償係数を用いて歪補償処理を行い、前記プリディストーション信号を出力するプリディストーション信号生成部と、
前記第２のＡＤ変換器の出力をレファレンス信号とし、当該レファレンス信号と、前記フィードバック信号との誤差を算出する誤差演算部と、
前記誤差演算部により算出された誤差に基づき、前記プリディストーション信号生成部の歪補償係数を更新する係数更新部と、
を有することを特徴とする歪補償装置。
【請求項１０】
前記歪補償部は、ＦＰＧＡ（Ｆｉｅｌｄ−Ｐｒｏｇｒａｍｍａｂｌｅ  Ｇａｔｅ  Ａｒｒａｙ）により構成されていることを特徴とする請求項１〜９のいずれか一つに記載の歪補償装置。
【請求項１１】
送信信号に対し歪補償係数を用いて歪補償処理を行ったプリディストーション信号を電力増幅器に出力する電力増幅装置の歪補償方法において、
前記歪補償処理を行った信号をレファレンス信号とし、当該レファレンス信号と、前記電力増幅器の出力帰還のフィードバック信号との誤差に基づき、前記歪補償係数を更新する工程と、
前記レファレンス信号および前記フィードバック信号をいずれも帯域制限して通過帯域を合わせる工程と、
を含むことを特徴とする電力増幅装置の歪補償方法。
【発明の詳細な説明】
【技術分野】
【０００１】
本発明は、電力増幅時の歪を補償する歪補償装置および電力増幅装置の歪補償方法に関する。
【背景技術】
【０００２】
無線通信システムにおける送信装置では、一般的に電力増幅器を効率のよい飽和領域で用いるが、飽和領域付近で使用すると非線形歪が増大する。この非線形歪を抑え、隣接チャネル漏洩電力（ＡＣＬＲ：Ａｄｊａｃｅｎｔ  Ｃｈａｎｎｅｌ  Ｌｅａｋａｇｅ  Ｒａｔｉｏ）を低減する技術としてプリディストーション方式がある。
【０００３】
プリディストーション方式は、電力増幅器に対して、あらかじめ歪んだ信号（プリディストーション信号）を入力することにより、電力増幅器出力の歪を抑圧する技術である。歪補償回路は、送信信号と電力増幅器出力のフィードバック信号を元に更新した歪補償係数を送信信号に掛けることにより、プリディストーション信号を生成する（例えば、下記特許文献１参照。）。
【先行技術文献】
【特許文献】
【０００４】
【特許文献１】特開２０１２−９０１５８号公報
【発明の概要】
【発明が解決しようとする課題】
【０００５】
しかし、従来の歪補償回路では、送信信号とフィードバック信号を用いて歪補償係数の更新を行っている。その際、信号経路上のＤＡＣからＡＤＣまでのフィードバックループにおいて送信信号が周波数の帯域制限を受ける。帯域制限する箇所として、例えばＤＡＣの補間処理で用いられるフィルタや直交復調器のフィルタがある。ＤＡＣのフィルタは補間処理した際のイメージ成分の除去のために用いられ、直交復調器のフィルタは折り返し成分の除去のために用いられる。しかし、実際にはこれらの理想フィルタの特性実現が難しいため、歪補償帯域の端の周波数成分も同時にカットしてしまう。この状態で歪補償係数の更新を行い続けると、フィルタでカットされた歪補償帯域の端の歪が累積的に上昇し、歪補償性能が低下する。
【０００６】
一つの側面では、本発明は、歪補償性能を向上させることを目的とする。
【課題を解決するための手段】
【０００７】
一つの案では、送信信号に対し歪補償係数を用いて歪補償処理を行ったプリディストーション信号を電力増幅器に出力する歪補償部を有し、前記歪補償部は、前記歪補償処理を行った信号をレファレンス信号とし、当該レファレンス信号と、前記電力増幅器の出力帰還のフィードバック信号との誤差に基づき、前記歪補償係数を更新し、前記レファレンス信号および前記フィードバック信号をいずれも帯域制限して通過帯域を合わせたことを特徴とする歪補償装置を提供する。
【発明の効果】
【０００８】
一つの実施形態によれば、歪補償性能を向上させることができる。
【図面の簡単な説明】
【０００９】
【図１】図１は、実施の形態１にかかる歪補償装置を示す図である。
【図２】図２は、実施の形態２にかかる歪補償装置を示す図である。
【図３】図３は、実施の形態３にかかる歪補償装置を示す図である。
【図４】図４は、実施の形態４にかかる歪補償係数の更新に用いる二つの信号のフィルタの通過帯域を示す図表である。
【図５】図５は、実施の形態５にかかる歪補償係数の更新に用いる二つの信号のフィルタの通過帯域の他の例を示す図表である。
【図６】図６は、実施の形態６にかかる歪補償装置を示す図である。
【発明を実施するための形態】
【００１０】
（実施の形態１）
以下に添付図面を参照して、開示技術の好適な実施の形態を詳細に説明する。図１は、実施の形態１にかかる歪補償装置を示す図である。図１の構成例は、電力増幅器１０５を含む送信装置１００に歪補償部１０１を設けて送信信号の歪補償を行うものである。
【００１１】
この歪補償部１０１には、ベースバンドユニット１０２から出力されたデジタル信号（送信信号）が入力される。歪補償部１０１のプリディストーション信号生成部１１１は、入力された送信信号について設定された歪補償係数に対応した歪補償を行い、プリディストーション信号を生成する。
【００１２】
プリディストーション信号生成部１１１によって生成されたプリディストーション信号は、ＤＡ変換器（ＤＡＣ）１０３により、デジタル信号からアナログ信号に変換され、発振器１０４ａおよびミキサ１０４ｂにより送信周波数に周波数変換される。この送信信号は、電力増幅器１０５により電力増幅され、アンテナ１０６から無線送信される。
【００１３】
また、電力増幅後の送信信号は、フィードバック信号（ＦＳ）として歪補償部１０１に帰還される。このフィードバック信号（ＦＳ）は、電力増幅器１０５の出力を発振器１０７ａおよびミキサ１０７ｂによりベースバンド信号に周波数変換され、ＡＤ変換器（ＡＤＣ）１０８によりアナログ信号がデジタル信号に変換される。デジタル信号に変換されたフィードバック信号（ＦＳ）は、歪補償部１０１に入力され、歪補償係数の更新に用いられる。
【００１４】
上記構成により、プリディストーション信号生成部１１１により生成されたプリディストーション信号は、ＤＡＣ１０３によるデジタル信号からアナログ信号への変換時に、このＤＡＣ１０３のフィルタ（第２のフィルタ）１０３ａによりイメージ成分が除去される。これにより、信号成分の帯域のうち端の帯域がカットされる。
【００１５】
これにより、電力増幅器１０５には歪の逆特性を持った信号（プリディストーション信号）が入力されるため、帯域外歪が抑圧された送信信号が出力される。そして、電力増幅器１０５出力はフィードバック信号（ＦＳ）として歪補償部１０１に帰還され、歪補償係数の更新に用いられる。
【００１６】
この歪補償部１０１は、プリディストーション信号生成部１１１の他に、誤差演算部１１２、係数更新部１１３、フィルタ（第１のフィルタ）１１４等を含む。この歪補償部１０１は、例えば、信号をデジタル処理するＦＰＧＡ（Ｆｉｅｌｄ−Ｐｒｏｇｒａｍｍａｂｌｅ  Ｇａｔｅ  Ａｒｒａｙ）によって構成され、所定の制御プログラム実行により歪補償部１０１の各機能を動作制御する。このほか、歪補償部１０１は、ＡＳＩＣによって構成してもよい。
【００１７】
フィードバック信号（ＦＳ）は、歪補償部１０１の係数更新部１１３へ入力される。係数更新部１１３は、歪補償係数とフィードバック信号（ＦＳ）を用いて電力増幅器１０５の逆歪特性を持った信号を誤差演算部１１２に出力する。誤差演算部１１２は、プリディストーション信号生成部１１１により生成された出力直後のプリディストーション信号（レファレンス信号：ＲＳ）と、フィードバック信号（ＦＳ）の差分を誤差として算出し、算出した誤差を係数更新部１１３に出力する。
【００１８】
これにより、係数更新部１１３は、歪補償係数を更新する。係数更新部１１３により更新された歪補償係数は、プリディストーション信号生成部１１１に出力される。プリディストーション信号生成部１１１は、入力された歪補償係数に基づき、送信信号に対する新たなプリディストーション信号を生成する。
【００１９】
そして、この実施の形態では、更新に用いるレファレンス信号（ＲＳ）とフィードバック信号（ＦＳ）を帯域制限し、これらレファレンス信号（ＲＳ）とフィードバック信号（ＦＳ）の通過帯域を同じにする。
【００２０】
具体的には、上述した歪補償部１０１は、プリディストーション信号生成部１１１と誤差演算部１１２との間（誤差演算部１１２の前段）にフィルタ１１４を設ける。そして、このフィルタ１１４は、レファレンス信号（ＲＳ）の帯域を制限し、誤差演算部１１２に入力されるレファレンス信号（ＲＳ）とフィードバック信号（ＦＳ）の通過帯域を同じにする。
【００２１】
これにより、誤差演算部１１２においては、比較する二つの信号である、レファレンス信号（ＲＳ）とフィードバック信号（ＦＳ）を同じ帯域で比較することができるため、帯域の差分による誤差を生じない。これにより、通過帯域を設定したフィルタを設けるだけの簡単な構成により、歪補償帯域の端の部分の歪上昇を抑えることができ、歪補償性能を向上できるようになる。
【００２２】
（実施の形態２）
図２は、実施の形態２にかかる歪補償装置を示す図である。図１と同様の構成部には同一の符号を付してある。この実施の形態２では、誤差演算部１１２の出力（後段）にフィルタ１１４を配置する構成である。
【００２３】
誤差演算部１１２の出力にフィルタ１１４を設けることにより、検出した誤差信号の帯域を制限する。このような構成においても、等価的に係数更新に用いるレファレンス信号（ＲＳ）とフィードバック信号（ＦＳ）の通過域を同じにすることができる。そして、誤差演算部１１２は、比較するレファレンス信号（ＲＳ）とフィードバック信号（ＦＳ）を同じ帯域で比較でき、帯域の差分による誤差を生じない。これにより、通過帯域を設定したフィルタを設けるだけの簡単な構成により、歪補償帯域の端の部分の歪上昇を抑えることができ、歪補償性能を向上できるようになる。
【００２４】
（実施の形態３）
図３は、実施の形態３にかかる歪補償装置を示す図である。この実施の形態３では、プリディストーション信号生成部１１１の出力にフィルタ１１４を挿入する構成である。このフィルタ１１４は、送信信号およびフィードバック信号（ＦＳ）の双方を帯域制限する。これにより、プリディストーション信号生成部１１１の出力信号は、フィルタ１１４によってあらかじめ帯域制限される。
【００２５】
このような構成においても、等価的に係数更新に用いるレファレンス信号（ＲＳ）とフィードバック信号（ＦＳ）の通過域を同じにすることができる。そして、誤差演算部１１２は、比較するレファレンス信号（ＲＳ）とフィードバック信号（ＦＳ）を同じ帯域で比較でき、帯域の差分による誤差を生じない。これにより、通過帯域を設定したフィルタを設けるだけの簡単な構成により、歪補償帯域の端の部分の歪上昇を抑えることができ、歪補償性能を向上できるようになる。
【００２６】
（実施の形態４）
図４は、実施の形態４にかかる歪補償係数の更新に用いる二つの信号のフィルタの通過帯域を示す図表である。上述した各実施形態のＤＡＣ１０３のフィルタ１０３ａと、フィルタ１１４を示している。横軸は周波数、縦軸はゲインである。図４の（ａ）は、ＤＡＣ１０３のフィルタ１０３ａの特性であり、理想フィルタ特性に比し、周波数ｆｎ部分からゲインが徐々に低下するフィルタ特性Ａ（通過帯域ｆｈ）を有している。
【００２７】
図４の（ｂ）は、ＤＡＣフィルタ１０３ａ出力の送信スペクトラムを示す。プリディストーション信号生成部１１１により生成されたプリディストーション信号がＤＡＣ１０３でアナログ信号に変換され、その際、ＤＡＣ１０３のフィルタ１０３ａにより送信スペクトラムの帯域の端がカットされる（符号４０１）。
【００２８】
図４の（ｃ），（ｄ）には、上記各実施の形態において説明したフィルタ１１４のフィルタ特性と、フィルタ１１４出力の送信スペクトラムを示す。そして、このフィルタ１１４のフィルタ特性Ｂをフィードバック信号（ＦＳ）の帯域制限量、すなわち、ＤＡＣ１０３のフィルタ１０３ａのフィルタ特性Ａ（図４の（ａ））と同じにする。
【００２９】
このように、歪補償係数の更新に用いる二つの信号（レファレンス信号（ＲＳ）とフィードバック信号（ＦＳ））の通過帯域を合わせることができ、誤差演算部１１２において、これら二つの信号を同じ帯域で比較でき、帯域の差分による誤差を生じない。これにより、通過帯域を設定したフィルタを設けるだけの簡単な構成により、歪補償帯域の端の部分の歪上昇を抑えることができ、歪補償性能を向上できるようになる。
【００３０】
（実施の形態５）
図５は、実施の形態５にかかる歪補償係数の更新に用いる二つの信号のフィルタの通過帯域の他の例を示す図表である。上述した二つのフィルタ１０３ａ，１１４のフィルタ特性Ａ，Ｂを厳密に一致させることは製造上および配置箇所の違いにより困難である。このため、実施の形態５では、二つのフィルタ特性Ａ，Ｂを変更している。この場合、図５の（ａ）に示すＤＡＣ１０３のフィルタ１０３ａのフィルタ特性Ａ（通過帯域ｆｈ１）よりも、図５の（ｃ）に示すフィルタ１１４のフィルタ特性Ｂの通過帯域ｆｈ２を狭く設定すればよい。
【００３１】
図５の（ｂ），（ｄ）は、それぞれのフィルタ出力の送信スペクトラムである。誤差演算部１１２においては、レファレンス信号（ＲＳ）そのものの通過帯域を規定し、狭くしている。誤差演算部１１２において、二つの信号（レファレンス信号（ＲＳ）とフィードバック信号（ＦＳ））を同じ帯域で比較でき、帯域の差分による誤差を生じない。上記構成によれば、フィルタ設計の自由度を高くすることができる。これにより、通過帯域を設定したフィルタを設けるだけの簡単な構成により、歪補償帯域の端の部分の歪上昇を抑えることができ、歪補償性能を向上できるようになる。
【００３２】
（実施の形態６）
図６は、実施の形態６にかかる歪補償装置を示す図である。実施の形態６では、上記のレファレンス信号（ＲＳ）に配置したフィルタ１１４を設けない。上記の各実施の形態では、プリディストーション信号生成部１１１の出力を誤差演算部１１２に入力し、フィルタ１１４を介して歪補償係数更新用のレファレンス信号（ＲＳ）としていたが、実施の形態６では、ＤＡＣ１０３の出力をレファレンス信号（ＲＳ）として用いる。このため、ＤＡＣ１０３と誤差演算部１１２との間に第２のＡＤＣ６０１を設け、第２のＡＤＣ６０１の出力をレファレンス信号（ＲＳ）として誤差演算部１１２に入力させる。
【００３３】
上記構成によれば、ＤＡＣ１０３のフィルタ１０３ａを送信経路および係数更新側で共通して使用するため、上記のフィルタ１１４を設ける必要がない。また、ＤＡＣ１０３のフィルタ１０３ａの単一のフィルタ特性により、レファレンス信号（ＲＳ）と、第１のＡＤＣ１０８によりＡＤ変換後のフィードバック信号（ＦＳ）の通過帯域が同じとなる。これにより、二つの信号（レファレンス信号（ＲＳ）とフィードバック信号（ＦＳ））を同じ帯域で比較でき、帯域の差分による誤差を生じない。
【００３４】
また、ＤＡＣ１０３のフィルタ１０３ａと同じ特性の他のフィルタを用意する必要がなく、歪補償性能を向上できる。これにより、レファレンス信号側に新たにフィルタを設ける必要が無く、簡単な構成により、歪補償帯域の端の部分の歪上昇を抑えることができ、歪補償性能を向上できるようになる。
【００３５】
以上説明した各実施の形態によれば、歪補償係数の更新に用いる二つの信号であるレファレンス信号（ＲＳ）とフィードバック信号（ＦＳ）を帯域制限し、それらの通過帯域を同じにするため、これら両者の誤差演算を同じ帯域で比較でき、帯域の差分による誤差を生じない。これにより、歪補償帯域の端の部分の歪上昇を抑えることができ、歪補償性能を向上することができる。
【００３６】
上述した各実施の形態に関し、さらに以下の付記を開示する。
【００３７】
（付記１）送信信号に対し歪補償係数を用いて歪補償処理を行ったプリディストーション信号を電力増幅器に出力する歪補償部を有し、
前記歪補償部は、前記歪補償処理を行った信号をレファレンス信号とし、当該レファレンス信号と、前記電力増幅器の出力帰還のフィードバック信号との誤差に基づき、前記歪補償係数を更新し、前記レファレンス信号および前記フィードバック信号をいずれも帯域制限して通過帯域を合わせたことを特徴とする歪補償装置。
【００３８】
（付記２）前記歪補償部は、前記レファレンス信号および前記フィードバック信号の信号経路上に設けられ、帯域制限して互いの通過帯域を合わせた第１のフィルタと、第２のフィルタとを含むことを特徴とする付記１に記載の歪補償装置。
【００３９】
（付記３）前記歪補償部と、前記電力増幅器との間に設けられ、ＤＡ変換するＤＡ変換器と、
前記電力増幅器の前記フィードバック信号をＡＤ変換するＡＤ変換器とを有し、
前記歪補償部は、デジタル信号処理を行い、
送信信号に対し歪補償係数を用いて歪補償処理を行い、前記プリディストーション信号を出力するプリディストーション信号生成部と、
前記プリディストーション信号生成部が出力する前記プリディストーション信号を前記レファレンス信号とし、当該レファレンス信号と、前記フィードバック信号との誤差を算出する誤差演算部と、
前記誤差演算部により算出された誤差に基づき、前記プリディストーション信号生成部の歪補償係数を更新する係数更新部と、
前記レファレンス信号を帯域制限する第１のフィルタとを有し、
前記第１のフィルタの通過帯域を、前記ＤＡ変換器内部の第２のフィルタの通過帯域に合わせて設定したことを特徴とする付記１に記載の歪補償装置。
【００４０】
（付記４）前記第１のフィルタは、前記レファレンス信号が入力される前記誤差演算部の前段に設けられたことを特徴とする付記３に記載の歪補償装置。
【００４１】
（付記５）前記第１のフィルタは、前記誤差演算部の出力と前記係数更新部との間に設けられたことを特徴とする付記３に記載の歪補償装置。
【００４２】
（付記６）前記第１のフィルタは、前記プリディストーション信号生成部の後段に設けられたことを特徴とする付記３に記載の歪補償装置。
【００４３】
（付記７）前記第１のフィルタのフィルタ特性を、前記第２のフィルタのフィルタ特性と同一の通過帯域としたことを特徴とする付記４〜６のいずれか一つに記載の歪補償装置。
【００４４】
（付記８）前記第１フィルタのフィルタ特性を、前記第２のフィルタのフィルタ特性より狭い通過帯域としたことを特徴とする付記４〜６のいずれか一つに記載の歪補償装置。
【００４５】
（付記９）送信信号に対し歪補償係数を用いて歪補償処理を行ったプリディストーション信号を電力増幅器に出力する歪補償部と、
前記歪補償部と、前記電力増幅器との間に設けられ、所定の通過帯域を有するフィルタを備え、ＤＡ変換するＤＡ変換器と、
前記電力増幅器のフィードバック信号をＡＤ変換する第１のＡＤ変換器と、
前記ＤＡ変換器の出力をＡＤ変換する第２のＡＤ変換器とを有し、
前記歪補償部は、デジタル信号処理を行い、
送信信号に対し歪補償係数を用いて歪補償処理を行い、前記プリディストーション信号を出力するプリディストーション信号生成部と、
前記第２のＡＤ変換器の出力をレファレンス信号とし、当該レファレンス信号と、前記フィードバック信号との誤差を算出する誤差演算部と、
前記誤差演算部により算出された誤差に基づき、前記プリディストーション信号生成部の歪補償係数を更新する係数更新部と、
を有することを特徴とする歪補償装置。
【００４６】
（付記１０）前記歪補償部は、ＦＰＧＡ（Ｆｉｅｌｄ−Ｐｒｏｇｒａｍｍａｂｌｅ  Ｇａｔｅ  Ａｒｒａｙ）により構成されていることを特徴とする付記１〜９のいずれか一つに記載の歪補償装置。
【００４７】
（付記１１）送信信号に対し歪補償係数を用いて歪補償処理を行ったプリディストーション信号を電力増幅器に出力する電力増幅装置の歪補償方法において、
前記歪補償処理を行った信号をレファレンス信号とし、当該レファレンス信号と、前記電力増幅器の出力帰還のフィードバック信号との誤差に基づき、前記歪補償係数を更新する工程と、
前記レファレンス信号および前記フィードバック信号をいずれも帯域制限して通過帯域を合わせる工程と、
を含むことを特徴とする電力増幅装置の歪補償方法。
【００４８】
（付記１２）前記レファレンス信号と、前記フィードバック信号とを同一の通過帯域としたことを特徴とする付記１１に記載の電力増幅装置の歪補償方法。
【００４９】
（付記１３）前記レファレンス信号の通過帯域を、前記フィードバック信号の通過帯域より狭くしたことを特徴とする付記１１に記載の電力増幅装置の歪補償方法。
【符号の説明】
【００５０】
１００  送信装置
１０１  歪補償部
１０２  ベースバンドユニット
１０３  ＤＡ変換器
１０３ａ  第２のフィルタ
１０５  電力増幅器
１０６  アンテナ
１０８  第１のＡＤ変換器
１１１  プリディストーション信号生成部
１１２  誤差演算部
１１３  係数更新部
１１４  第１のフィルタ
６０１  第２のＡＤ変換器
【図１】
2014121080.tif 000003
【図２】
2014121080.tif 000004
【図３】
2014121080.tif 000005
【図４】
2014121080.tif 000006
【図５】
2014121080.tif 000007
【図６】
2014121080.tif 000008